(57)【特許請求の範囲】
【請求項１】
取外し可能な開口部を有する飲料容器と、この飲料容器に入れられた飲料液と、この飲料液と別体に前記飲料容器に入れられた飲料具とからなることを特徴とする味噌汁等の飲料品において、前期飲料容器は、カバーを有する紙製の第１の飲料容器本体と、この第１の飲料品容器本体に着脱可能に取り付けられる、開口部を有する第２の飲料品容器本体と、この第２の飲料品容器本体に着脱可能に取り付けられる、開閉部を有する第３の飲料品容器本体と、前期第１、第２、第３の飲料品容器本体を一体的に覆うことができる、開口部を有する第４の飲料品容器本体とからなることを特徴とする味噌汁等の飲料品。
【発明の詳細な説明】
【０００１】
【発明の属する技術分野】
本発明は、味噌汁、シチュウ、野菜スープ、トムヤンクン、ボルシチ等の家庭料理を外出時に手軽に食することができる飲料品に関する。
【０００２】
【従来の技術】
従来、味噌汁、シチュウ、野菜スープ、トムヤンクン、ボルシチ等の飲料品は家庭料理として食卓上で食している。
【０００３】
従来の味噌汁、シチュウ、野菜スープ、トムヤンクン、ボルシチ等の飲料品は、食卓上で食するもので、外で手軽に食することは困難であるという欠点があるとともに、持ち運びして、どこででも食することができるという概念はなかった。
【０００４】
【発明が解決しようとする課題】
本発明は以上のような従来の欠点に鑑み、家庭料理の味を、外出先で容易に、手軽に味わうことができる味噌汁等の飲料品を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は取外し可能な開口部を有する飲料品容器と、この飲料品容器に入れられた飲料液と、この飲料液と一体あるいは別体に前記飲料品容器に入れられた飲料具とで味噌汁等の飲料品を構成している。
【０００７】
【発明の実施の形態】
以下、図面に示す実施の形態により、本発明を詳細に説明する。
【０００８】
図１および図２に示す本発明の第１実施の形態において、１は本発明の味噌汁等の飲料品で、この味噌汁等の飲料品１は円柱状で缶形状に形成された、上部部位に設けられた開口部２を有する飲料容器３と、この飲料品容器３に入れられた飲料液４と、この飲料液４と別体に前記飲料容器３の上部に収納された飲料具５とで構成されている。
【０００９】
前記飲料液４は前記飲料品容器３内に収納され、味噌スープ、シチュウ、野菜スープ、トムヤンクン、ボルシチ等、本実施の形態では味噌スープの味付けが施されている。
【００１０】
前記飲料具５は、前記飲料液としての味噌スープ４に加えられる具としての豆腐、ワカメ、野菜等がカットされ、好ましくは乾燥した状態で前記飲料品容器３内に収納されている。
【００１１】
上記構成の味噌汁等の飲料品１は、通常内容物に適した温度管理がなされている。例えば、冷やしスープであれば適宜に冷やされ、味噌スープであれば、適宜に温められている。また、販売時は適宜に保管され、購入者が食する場合に冷やしたり、温めたりすることができる。
【００１２】
食する場合には、図２に示すように、開口部２を開口して、別体に前記飲料品容器３に入れられた飲料具５を取り出し、前記飲料液としての味噌スープ４内に入れた後、飲料具５は乾燥状態から解放され、通常家庭内で食する味噌スープと同様に仕上がる。
したがって、家庭内で食することだけだった味噌汁等の飲料品１を外出先で、容易に、手軽に味わうことができる。
【００１３】
【発明の異なる実施の形態】
次に、図３ないし９に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図３に示す本発明の第２の実施の形態において、前記本発明の第１の実施の形態と主に異なる点は、開口部２Ａを有する前記飲料品容器３の上部にキャップ６を設け、飲料具５を前記キャップ６内に収納した点で、このように構成した味噌汁等の飲料品１Ａにしても本発明の第１の実施の形態と同様の作用効果を得ることができる。
【００１５】
図４に示す本発明の第３の実施の形態において、前記本発明の第２の実施の形態と主に異なる点は、紙製で四角形状に形成された飲料品容器を用いた点で、このように構成した飲料品容器３Ａを用いた味噌汁等の飲料品１Ｂにしても本発明の第１の実施の形態と同様の作用効果を得ることができる。
したがって、前記飲料品容器３Ａは紙製で形成されているので、食した後に、安全に廃棄処理することができる。
【００１６】
図５に示す本発明の第４の実施の形態において、前記本発明の第１の実施の形態と主に異なる点は、樹脂材でバッグ形状に形成された飲料品容器を用いた点で、このように構成した飲料品容器３Ｂを用いた味噌汁等の飲料品１Ｃにしても本発明の第１の実施の形態と同様の作用効果を得ることができる。
本実施の形態の場合には、飲料品容器３Ｂそのものを利用して食してもよいし、他の容器に移して食してもよい。
なお、本実施の形態では、フルオープンさせることができる開口部２Ｂについて説明したが、これに限らず、端部を切り欠くことができるように形成した開口部を利用してもよい。
【００１７】
図６に示す本発明の第５の実施の形態において、前記本発明の第４の実施の形態と主に異なる点は、は乾燥された凝縮状態で、固形形状あるいは顆粒形状に形成された飲料液４Ａが前記飲料品容器３Ｂに収納されている点で、このように構成した味噌汁等の飲料品１Ｄにしても本発明の第４の実施の形態と同様の作用効果を得ることができるとともに、冷水、温水、熱湯等を注ぐことによって、飲料具なしの状態でも容易に、手軽に味わうことができる。
【００１８】
図７に示す本発明の第６の実施の形態において、前記本発明の第１の実施の形態と主に異なる点は、飲料品容器がボトル形状に形成されている点、このように構成した飲料品容器３Ｃを用いた味噌汁等の飲料品１Ｅにしても本発明の第１の実施の形態と同様の作用効果を得ることができる。
【００１９】
図８に示す本発明の第７の実施の形態において、前記本発明の第１の実施の形態と主に異なる点は、カバー７を有する紙製の第１の飲料品容器本体８と、この第１の飲料品容器本体８に着脱可能に取り付けられる、開口部２を有する第２の飲料品容器本体９と、この第２の飲料品容器本体９に着脱可能に取り付けられる、開閉部１０を有する第３の飲料品容器本体１１と、前記第１、第２、第３の飲料品容器本体８、９、１１を一体的に覆うことができる、開口部２を有する第４の飲料品容器本体１２とで構成された飲料品容器３Ｄを用いた点で、このように構成した前記飲料品容器３Ｄを用いた味噌汁等の飲料品１Ｆにしても本発明の第１の実施の形態と同様の作用効果を得ることができる。
【００２０】
本実施の形態では、前記第１の飲料品容器本体８には、冷水、温水あるいは熱水等の飲料液体Ｘが格納され、前記第２の飲料品容器本体９には、飲料液４が格納され、前記第３の飲料品容器本体１１には、飲料具５が格納される。
図８に示すように、前記第１の飲料品容器本体８から、前記第２、第３、第４の飲料品容器本体９、１１、１２を順次取外し、飲料液４および飲料具５を取り出して混合する。その後、前記第１の飲料品容器本体８はカバーとしての第４の飲料品容器本体１２によりカバーされる。
【００２１】
なお、前記カバー７を付けることなく、前記第２の飲料品容器本体９をカバーとして用いることもできる。
また、凝縮液を含む液体状の飲料液４を用いたものについて説明したが、これに限らず、エキスを凝縮させた固形形状、顆粒形状の飲料液４を用いてもよい。
【００２２】
図９に示す本発明の第８の実施の形態において、前記本発明の第７の実施の形態と主に異なる点は、前記第１の飲料品容器本体８の外周部部位にスプーンやハンドル等の付属部１３を設けた点で、このように構成した前記飲料品容器３Ｅを用いた味噌汁等の飲料品１Ｇにしても本発明の第１の実施の形態と同様の作用効果を得ることができる。
【００２３】
【発明の効果】
以上の説明から明らかなように、本発明にあっては、次に列挙するような効果がある。
【００２４】
（１）取外し可能な開口部を有する飲料品容器と、この飲料品容器に入れられた飲料液と、この飲料液と一体あるいは別体に前記飲料品容器に入れられた飲料具とからなることを特徴とする味噌汁等の飲料品とからなるので、液状の飲料品を持ち運びができる状態に容易に加工することができる。
したがって、どこへでも容易に持ち運びができる。
【００２５】
（２）前記（１）によって、手軽に持ち運びできるので、所望する場所で楽しむことができる。
したがって、家庭料理の味を、外出先で容易に味わうことができる。
【００２６】
（３）前記（１）によって、構造が簡単であるので、容易に実施することができる
【００２７】
（４）請求項２〜  も前記（１）〜（３）と同様な作用効果が得られる。
【図面の簡単な説明】
【図１】本発明の第１の実施の形態の説明図。
【図２】本発明の第１の実施の形態の説明図。
【図３】本発明の第２の実施の形態の説明図。
【図４】本発明の第３の実施の形態の説明図。
【図５】本発明の第４の実施の形態の説明図。
【図６】本発明の第５の実施の形態の説明図。
【図７】本発明の第６の実施の形態の説明図。
【図８】本発明の第７の実施の形態の説明図。
【図９】本発明の第８の実施の形態の説明図。
【符号の説明】
１、１Ａ〜１Ｇ：味噌汁等の飲料品、  ２、２Ａ：開口部、
３、３Ａ〜３Ｄ：飲料品容器、        ４、４Ａ：飲料液、
５：飲料具、                        ６：キャップ、
７：カバー、                        ８：第１の飲料品容器本体、
９：第２の飲料品容器本体、          １０：開閉部、
１１：第３の飲料品容器本体、        １２：第４の飲料品容器本体、
１３：付属部、                      Ｘ：飲料液体。
【図１】
0003668946.tif 000002
【図２】
0003668946.tif 000003
【図３】
0003668946.tif 000004
【図４】
0003668946.tif 000005
【図５】
0003668946.tif 000006
【図６】
0003668946.tif 000007
【図７】
0003668946.tif 000008
【図８】
0003668946.tif 000009
【図９】
0003668946.tif 000010